(57)【要約】【課題】携帯機器の操作部における設計上の自由度を確保し、携帯（保持）及び操作が容易で、かつ小型の携帯機器を提供すること。【解決手段】操作者前方の所定の位置の画面上に所定の画像を表示する表示部と、上記操作者にとって相対的に左側または右側を示すアイコンで代表される上記画像に係る選択肢のうちの少なくとも一方を選択するための操作部１３と、上記操作部１３にて選択された結果を利用して上記表示部を制御する制御部１５とを備える情報提示装置における上記操作部１３を、上記操作者に装着または保持されるようにするとともに、上記選択肢のうち一方を選択するＡボタン１３Ａ−Ｒと、当該Ａボタン１３Ａ−Ｒで選択されていない残余の選択肢を選択するＢボタン１３Ｂ−Ｒとを含むものとし、それらＡボタン１３Ａ−ＲとＢボタン１３Ｂ−Ｒを、上記操作者の前後方向の成分を有する方向に並べて配置する。【選択図】      図１
2006148559.tif 000002
【特許請求の範囲】
【請求項１】
操作者前方の所定の位置の画面上に所定の画像を表示する表示部と、
上記操作者にとって相対的に左側または右側を示すアイコンで代表される上記画像に係る選択肢のうちの少なくとも一方を選択するための操作部と、
上記操作部にて選択された結果を利用して上記表示部を制御する制御部と、
を具備する携帯機器であって、
上記操作部は、
上記操作者に装着または保持されるとともに、
上記選択肢のうち一方を選択する第１の選択操作部と、
当該第１の選択操作部で選択されていない残余の選択肢を選択する第２の選択操作部と、
を含み、
当該第１及び第２の選択操作部は、上記操作者の前後方向の成分を有する方向に並んで配置されている、
ことを特徴とする携帯機器。
【請求項２】
上記表示部は、上記操作者が観察する観察対象の実像と上記所定の画像とを重畳させて表示することを特徴とする請求項１に記載の携帯機器。
【請求項３】
上記アイコンは、上記画面上に表示される相対的に左側及び右側のアイコンを含むことを特徴とする請求項１に記載の携帯機器。
【請求項４】
上記相対的に左側及び右側のアイコンは、上記操作者にとってそれぞれ左側、右側への上記画像のスクロールを代表するものであることを特徴とする請求項３に記載の携帯機器。
【請求項５】
上記左側及び右側のアイコンは、ポインティングデバイスにおける左及び右クリックに相当する処理を代表するものであることを特徴とする請求項３に記載の携帯機器。
【請求項６】
上記操作部を含む部位は、その保持または装着のされ方として、複数の異なる装着または保持される形態を有することを特徴とする請求項１に記載の携帯機器。
【請求項７】
上記複数の異なる装着または保持される形態において、上記表示部と上記操作部の相対的位置姿勢は実質的に同じであることを特徴とする請求項６に記載の携帯機器。
【請求項８】
上記複数の異なる装着または保持される形態において、上記表示部に表示される画像の向きが異なることを特徴とする請求項６に記載の携帯機器。
【請求項９】
上記複数の異なる装着または保持される形態において、上記操作部を含む部位が、上記操作者の側部に装着または保持されることを特徴とする請求項６に記載の携帯機器。
【請求項１０】
上記複数の異なる装着または保持される形態において、上記操作部を含む部位が、上記操作者の左手または右手の一方で保持されることを特徴とする請求項９に記載の携帯機器。
【請求項１１】
上記操作部に含まれる上記第１または第２の選択操作部は、上記操作部を含む部位を保持している一方の手で操作されることを特徴とする請求項１０に記載の携帯機器。
【請求項１２】
上記複数の異なる装着または保持される形態のうちのそれぞれの形態の間で上記第１または第２の選択操作部を操作する左右の手の指が異なるように、上記第１及び第２の選択操作部が配置されていることを特徴とする請求項９に記載の携帯機器。
【請求項１３】
左手の指が操作の対象とする複数の選択操作部は、当該左手の第２指から第５指に向かう配列方向に所定の順に並び、
右手の指が操作の対象とする複数の選択操作部は、当該右手の第５指から第２指に向かう配列方向に当該所定の順に並ぶように配置されていることを特徴とする請求項１２に記載の携帯機器。
【請求項１４】
上記複数の異なる装着または保持される形態においては、上記操作者の左右の手の指で操作され選択に使用される上記第１及び第２選択操作部の並び順は、操作者の頭頂側から見たとき当該操作者の主軸を中心とした周回方向において同じ順番となるように配置されていることを特徴とする請求項９に記載の携帯機器。
【発明の詳細な説明】
【技術分野】
【０００１】
本発明は、表示部と操作部を有した携帯機器に関する。
【背景技術】
【０００２】
従来、表示部と操作部を有した携帯機器においては、特許文献１等に開示されているように、「方向キー」の左右方向は、表示部画面の左右方向に対応付けられている。即ち、表示画面の左または右側を示すアイコンで代表される処理には、左右方向に並んで配置された操作キー（操作部）が割り当てられている。
【特許文献１】特開２００３−１７４４９５号公報
【発明の開示】
【発明が解決しようとする課題】
【０００３】
しかしながら、上記特許文献１に記載のように機器本体（筐体）の左右方向に操作部を配置できる場合には問題とならないが、操作部に十分な左右方向の余地が無い場合には、そのような操作部の割り当ては問題となり得る。
【０００４】
言い換えれば、従来は、機器本体に左右方向の余地が少なくなると操作部を小さくせざるを得ず、操作者にとって扱いにくいものとなる可能性があった。
【０００５】
本発明は、上記の点に鑑みてなされたもので、携帯機器の操作部における設計上の自由度を確保し、携帯（保持）及び操作が容易で、かつ小型の携帯機器を提供することを目的とする。
【課題を解決するための手段】
【０００６】
本発明の携帯機器の一態様は、
操作者前方の所定の位置の画面上に所定の画像を表示する表示部と、
上記操作者にとって相対的に左側または右側を示すアイコンで代表される上記画像に係る選択肢のうちの少なくとも一方を選択するための操作部と、
上記操作部にて選択された結果を利用して上記表示部を制御する制御部と、
を具備する情報提示装置であって、
上記操作部は、
上記操作者に装着または保持されるとともに、
上記選択肢のうち一方を選択する第１の選択操作部と、
当該第１の選択操作部で選択されていない残余の選択肢を選択する第２の選択操作部と、
を含み、
当該第１及び第２の選択操作部は、上記操作者の前後方向の成分を有する方向に並んで配置されている、
ことを特徴とする。
【発明の効果】
【０００７】
本発明によれば、携帯機器の操作部における設計上の自由度を確保し、携帯（保持）及び操作が容易で、かつ小型の携帯機器を提供することができる。
【発明を実施するための最良の形態】
【０００８】
以下、本発明を実施するための最良の形態を図面を参照して説明する。
【０００９】
［第１実施形態］
図１（Ａ）は、本発明の第１実施形態に係る携帯機器としての情報端末１０の外観を示す斜視図であり、図１（Ｂ）はその情報端末１０のブロック構成図である。
【００１０】
この情報端末１０は、操作者前方の所定の位置の画面上に所定の画像を表示する表示部を有しているもので、この表示部は、ハーフミラーである透明反射板１１と液晶ディスプレイ等の情報表示部１２とを含む。透明反射板１１は透過機能を有しているので、図２（Ａ）に示すように、操作者が自身の右手２０で情報端末１０を保持し、操作者頭部２１にその情報端末１０を当てて右眼２２で覗いたとき、該透明反射板１１を透過して観察対象の実像を観察することができる。さらに、この透明反射板１１の反射機能により、図２（Ｂ）に示すように、上記情報表示部１２に表示した上記所定の画像の投影像がその反射面で右眼球２２Ａに向けて反射され、上記所定の画像も上記観察対象の実像に重畳させて操作者に観察させることができる。即ち、透明反射板１１を表示画面とすることができる。
【００１１】
また、情報端末１０は、操作者の身長方向（主軸：Ｘ軸）に対し左右方向（Ｙ軸）、つまり操作者とって相対的に左側または右側を示すアイコンで代表される上記画像に係る選択肢のうちの少なくとも一方を選択するための操作部１３を有している。この操作部１３は、図１（Ｃ）に示すように、少なくとも、上記選択肢のうち一方を選択する第１の選択操作部としてのＡボタン１３Ａ−Ｒと、当該Ａボタン１３Ａ−Ｒで選択されていない残余の選択肢を選択する第２の選択操作部としてのＢボタン１３Ｂ−Ｒとを含む。勿論、同図にｘボタン（第ｎ選択操作部）１３ｎ−Ｒとして示すように、更に別の選択操作部を複数含んでも構わない。上記Ａボタン１３Ａ−Ｒ，Ｂボタン１３Ｂ−Ｒ（，…，ｘボタン１３ｎ−Ｒ）は、情報端末１０を保持した状態において、図１（Ａ）及び図２（Ｂ）に示すように、操作者の前後方向（Ｚ軸）の成分を有する方向に並んで、該情報端末１０を保持している手である右手２０の指で操作される位置に、配置されている。
【００１２】
なおここで、上記アイコンは、上記画面上に表示される相対的に左側及び右側のアイコンを含むものである。例えば、それら左側及び右側のアイコンは、操作者にとってそれぞれ左側、右側への上記画像のスクロールを代表するものである。或いは、ポインティングデバイスであるマウスにおける左及び右クリックに相当する処理を代表するものとしても良い。
【００１３】
また、情報端末１０は、操作者が透明反射板１１を介して観察している観察対象を含む画像を撮影するためのカメラである画像入力部１４と、上記操作部１３にて選択された結果を利用して上記情報表示部１２を制御する制御部１５とを備え、上記制御部１５は、位置姿勢判定部１５Ａ、操作指示判定部１５Ｂ、及び表示情報検索部１５Ｃから構成されている。ここで、上記位置姿勢判定部１５Ａは、画像入力部１４から入力された画像より、上記画像入力部１４の位置及び姿勢、つまりは当該情報端末１０の位置及び姿勢を判定するものである。この位置姿勢の判定は、机（オブジェクト台）等の基準面上のマーカの見え方で判定したり、重力センサを使用して判定する等、どのような手法を用いても構わない。上記操作指示判定部１５Ｂは、上記操作部１３のボタン操作による操作者の指示内容を判別するものである。そして、上記表示情報検索部１５Ｃは、上記画像入力部１４から入力された画像より、上記情報表示部１２に表示するべき情報を検索し、その検索した情報の画面上における表示位置及び姿勢を、上記位置姿勢判定部１５Ａによる位置姿勢判定結果に基づいて変更して、上記情報表示部１２に表示する。また、上記操作指示判定部１５Ｂで判別した操作者の指示内容に従って、情報の検索や表示の更新を行う。
【００１４】
このような構成の情報端末１０においては、図３（Ａ）に示すように操作者頭部２１右側に情報端末１０を保持したとき、図３（Ｂ）に示すように画面内には相対的に左側のアイコン１６Ａと右側のアイコン１６Ｂとが表示される。この場合、右手で情報端末１０を保持するため、その右手の第１指（親指）２３−１、第２指（人差し指）２３−２、第３指（中指）２３−３、第４指（薬指）２３−４、及び第５指（小指）２３−５のうち、図３（Ｃ）に示すように、画面内の右側対象物（右側のアイコン１６Ｂ）は第３指（中指）２３−３で指示し、左側対象物（左側のアイコン１６Ａ）を第４指（薬指）２３−４で指示する方が、その逆よりも直感的に扱い易い。よって、上記のように操作者の前後方向の成分を有する方向に並んで配置された複数の選択操作部は、操作者の右手の第５指（小指）２３−５から第２指（人差し指）２３−２に向かう配列方向に当該所定の順に並ぶように配置されている。即ち、図３（Ｃ）の例では、第１選択部材であるＡボタン１３Ａ−Ｒ、第２選択部材であるＢボタン１３Ｂ−Ｒ、の順に配置されている。
【００１５】
以上のような本第１実施形態によれば、機器本体に左右方向の余地が少なくても、操作者にとって扱い易い携帯機器を提供できる。即ち、携帯機器の操作部における設計上の自由度を確保し、携帯（保持）及び操作が容易で、かつ小型の携帯機器を提供することができる。
【００１６】
［第２実施形態］
本第２実施形態に係る携帯機器は、その保持のされ方として、複数の異なる保持される形態を有するものである。但し、それら複数の保持形態において、表示部と操作部の相対的位置姿勢は実質的に同じである。
【００１７】
即ち、本実施形態に係る携帯機器としての情報端末１０は、図３（Ａ）に示すような操作者頭部２１の右側だけでなく、図４（Ａ）に示すように、操作者頭部２１の左側に、図示しない左手で保持して使用できるようにも構成したものである。
【００１８】
そのため、本実施形態においては、図５に示すように、操作部１３は、第１選択操作部として、上記第１実施形態におけるＡボタン１３Ａ−Ｒと同様の右手用Ａボタン１３Ａ−Ｒに加えて、情報端末１０の反対側側面に、左手用Ａボタン１３Ａ−Ｌを設けている。同様に、第２選択操作部として、右手用Ｂボタン１３Ｂ−Ｒに加えて、情報端末１０の反対側側面に、左手用Ｂボタン１３Ｂ−Ｌを設けている。勿論、上記第１実施形態と同様に、更に別の選択操作部（左手用ｘボタン（第ｎ選択操作部）１３ｎ−Ｌ）を複数含んでも構わない。
【００１９】
なお、情報端末１０を、図３（Ａ）に示すように右手で保持して右眼２２で観察する場合と、図４（Ａ）に示すように左手で保持して左眼２４で観察する場合とでは、情報表示部１２によって透明反射板１１に投影表示する画像については、その向きを上下入れ替える必要がある。これは、制御部１５の位置姿勢判定部１５Ａにより画像入力部１４の位置及び姿勢を判定することにより、当該情報端末１０の位置及び姿勢、つまり右手で保持されているのか左手で保持されているのかが判別できるので、その判別結果に基づいて表示情報検索部１５Ｃが検索した画像を必要に応じて上下反転させて情報表示部１２に表示させれば良い。
【００２０】
従って、図４（Ａ）に示すように情報端末１０を左手で保持して左眼２４で観察する場合においても、図４（Ｂ）に示すように、右手の場合と同様の表示画面が表示されることとなる。即ち、アイコン１６Ａは左側に、アイコン１６Ｂは右側に表示される。
【００２１】
このように、表示画面は、操作者にとってはどちらの手で情報端末１０を保持しても同じとなるようにしているが、片手で操作する操作部１３の各ボタンの並び順については、右手用と左手用とで互いに異なるものとしている。
【００２２】
即ち、左手で情報端末１０を保持するため、図４（Ｃ）に示すように、その左手の第１指（親指）２５−１、第２指（人差し指）２５−２、第３指（中指）２５−３、第４指（薬指）２５−４、及び第５指（小指）２５−５のうち、画面内の左側対象物（左側のアイコン１６Ａ）は第３指（中指）２５−３で指示し、右側対象物（右側のアイコン１６Ｂ）を第４指（薬指）２５−４で指示する方が、その逆よりも直感的に扱い易い。従って、操作を行う手が右手と左手の場合とで、操作する指が異なる。
【００２３】
よって、本第２実施形態においては、複数の保持形態のうちのそれぞれの形態の間で第１または第２の選択操作部を操作する左右の手の指が異なるように、第１及び第２の選択操作部が配置されている。具体的には、左手の指が操作の対象とする操作部１３については、図４（Ｃ）に示すように、当該左手の第２指（人差し指）２５−２から第５指（小指）２５−５に向かう配列方向に、第１選択部材であるＡボタン１３Ａ−Ｌ、第２選択部材であるＢボタン１３Ｂ−Ｌ、の順に配置されている。また、右手の指が操作の対象とする操作部１３については、図３（Ｃ）に示すように、当該右手の第５指（小指）２３−５から第２指（人差し指）２３−２に向かう配列方向に、第１選択部材であるＡボタン１３Ａ−Ｒ、第２選択部材であるＢボタン１３Ｂ−Ｒ、の順に配置されている。
【００２４】
このように、複数の異なる保持形態において、操作者の左右の手の指で操作され選択に使用される第１及び第２選択操作部の並び順を、操作者の頭頂側から見たとき当該操作者の主軸（身長方向）を中心とした周回方向において同じ順番となるように配置することで、右手使用時、左手使用時における操作者に使い易いようにボタンを配置することができる。
【００２５】
即ち、操作者の正面に向かって右側の機能（右側のアイコン１６Ｂで代表される選択肢）に割り当てるボタンを、操作者頭部２１右側面に情報端末１０を保持する場合には後頭部側、左側面に保持するときは前頭部側となるようにすることで、人間の直観に作用し、ボタンの誤認識、ひいては誤操作を減らすことができる。
【００２６】
以上、実施形態に基づいて本発明を説明したが、本発明は上述した実施形態に限定されるものではなく、本発明の要旨の範囲内で種々の変形や応用が可能なことは勿論である。
【００２７】
例えば、上記第１実施形態は右手で保持して使用される携帯機器（情報端末１０）を説明したが、第２実施形態で説明したように、左手用のＡボタン１３Ａ−Ｌ，Ｂボタン１３Ｂ−Ｌ，…，ｘボタン１３ｎ−Ｌを配置した左手保持用の携帯機器としても良いことは勿論である。
【００２８】
また、上記第１及び第２実施形態では、携帯機器としての情報端末１０は片手で保持されるものとして説明したが、手ではなくて、何らかの保持具で操作者頭部２１に保持ないしは装着し、操作部１３の操作のみを手で行うものであっても構わない。また、表示部と操作部１３の相対的位置姿勢が実質的に変わらなければ、操作部１３を含む部位を表示部とは別体として、例えば表示部は操作者頭部２１に保持ないしは装着され、操作部１３を含む部位は操作者の腰部分の側部、ベルト等に装着されるような形態を採るようにしても良い。
【００２９】
また、上記第１及び第２実施形態は、携帯機器として情報呈示装置を例に説明したが、それに限るものではない。
【００３０】
（付記）
前記の具体的実施形態から、以下のような構成の発明を抽出することができる。
【００３１】
（１）  操作者前方の所定の位置の画面上に所定の画像を表示する表示部と、
上記操作者にとって相対的に左側または右側を示すアイコンで代表される上記画像に係る選択肢のうちの少なくとも一方を選択するための操作部と、
上記操作部にて選択された結果を利用して上記表示部を制御する制御部と、
を具備する情報提示装置であって、
上記操作部は、
上記操作者に装着または保持されるとともに、
上記選択肢のうち一方を選択する第１の選択操作部と、
当該第１の選択操作部で選択されていない残余の選択肢を選択する第２の選択操作部と、
を含み、
当該第１及び第２の選択操作部は、上記操作者の前後方向の成分を有する方向に並んで配置されている、
ことを特徴とする携帯機器。
【００３２】
（対応する実施形態）
この（１）に記載の携帯機器に関する実施形態は、第１及び第２実施形態が対応する。それらの実施形態において、透明反射板１１及び情報表示部１２が上記表示部に、操作部１３が上記操作部に、制御部１５（位置姿勢判定部１５Ａ，操作指示判定部１５Ｂ，表示情報検索部１５Ｃ）が上記表示部に、Ａボタン１３Ａ−Ｒが上記第１の選択操作部に、Ｂボタン１３Ｂ−Ｒが上記第２の選択操作部に、それぞれ対応する。
【００３３】
（作用効果）
この（１）に記載の携帯機器は、操作者にとって相対的に左側または右側を示すアイコンで代表される画像に係る選択肢を選択するための選択操作部を、操作者の前後方向の成分を有する方向に並ぶように配置している。従って、携帯機器の操作部における設計上の自由度を確保し、携帯（保持）及び操作が容易で、かつ小型の携帯機器を提供することができる。
【００３４】
（２）  上記表示部は、上記操作者が観察する観察対象の実像と上記所定の画像とを重畳させて表示することを特徴とする（１）に記載の携帯機器。
【００３５】
（対応する実施形態）
この（２）に記載の携帯機器に関する実施形態は、第１及び第２実施形態が対応する。
【００３６】
（作用効果）
この（２）に記載の携帯機器は、表示部は観察対象物の実像と画像を重畳して操作者に呈示する。従って、観察対象物の実像と画像とを操作者に観察させることができる。
【００３７】
（３）  上記アイコンは、上記画面上に表示される相対的に左側及び右側のアイコンを含むことを特徴とする（１）に記載の携帯機器。
【００３８】
（対応する実施形態）
この（３）に記載の携帯機器に関する実施形態は、第１及び第２実施形態が対応する。それらの実施形態において、アイコン１６Ａが上記左側のアイコンに、アイコン１６Ｂが上記右側のアイコンに、それぞれ対応する。
【００３９】
（作用効果）
この（３）に記載の携帯機器は、アイコンは、画面上に表示される相対的に左側、右側のアイコンを含む。
【００４０】
従って、この（３）に記載の携帯機器によれば、選択肢をアイコンで表示するので、分かり易い。
【００４１】
（４）  上記相対的に左側及び右側のアイコンは、上記操作者にとってそれぞれ左側、右側への上記画像のスクロールを代表するものであることを特徴とする（３）に記載の携帯機器。
【００４２】
（対応する実施形態）
この（４）に記載の携帯機器に関する実施形態は、第１及び第２実施形態が対応する。
【００４３】
（作用効果）
この（４）に記載の携帯機器によれば、左または右への画像のスクロール操作を、操作者の前後方向に並んだ選択操作部で選択できる。
【００４４】
（５）  上記左側及び右側のアイコンは、ポインティングデバイスにおける左及び右クリックに相当する処理を代表するものであることを特徴とする（３）に記載の携帯機器。
【００４５】
（対応する実施形態）
この（５）に記載の携帯機器に関する実施形態は、第１及び第２実施形態が対応する。
【００４６】
（作用効果）
この（５）に記載の携帯機器によれば、ポインティングデバイス（マウス）における左または右クリックに相当する操作を、操作者の前後方向に並んだ選択操作部で選択できる。
【００４７】
（６）  上記操作部を含む部位は、その保持または装着のされ方として、複数の異なる装着または保持される形態を有することを特徴とする（１）に記載の携帯機器。
【００４８】
（対応する実施形態）
この（６）に記載の携帯機器に関する実施形態は、第２実施形態が対応する。
【００４９】
（作用効果）
この（６）に記載の携帯機器によれば、複数の保持または装着のされ方が可能となる。
【００５０】
（７）  上記複数の異なる装着または保持される形態において、上記表示部と上記操作部の相対的位置姿勢は実質的に同じであることを特徴とする（６）に記載の携帯機器。
【００５１】
（対応する実施形態）
この（７）に記載の携帯機器に関する実施形態は、第２実施形態が対応する。
【００５２】
（作用効果）
この（７）に記載の携帯機器によれば、表示部と操作部の相対的位置姿勢は実質的に同じであるので、操作者もその保持または装着の形態を迷うことなく、また、機器自体の処理も保持または装着の形態に応じて大きく変更する必要がなくなる。
【００５３】
（８）  上記複数の異なる装着または保持される形態において、上記表示部に表示される画像の向きが異なることを特徴とする（６）に記載の携帯機器。
【００５４】
（対応する実施形態）
この（８）に記載の携帯機器に関する実施形態は、第２実施形態が対応する。
【００５５】
（作用効果）
この（８）に記載の携帯機器によれば、複数の「形態」によらず操作者に常に正しい向きで画像を呈示できる。
【００５６】
（９）  上記複数の異なる装着または保持される形態において、上記操作部を含む部位が、上記操作者の側部に装着または保持されることを特徴とする（６）に記載の携帯機器。
【００５７】
（対応する実施形態）
この（９）に記載の携帯機器に関する実施形態は、第２実施形態が対応する。
【００５８】
（作用効果）
この（９）に記載の携帯機器によれば、操作部を含む部位を別体とできるので、使用形態が多彩になる。
【００５９】
（１０）  上記複数の異なる装着または保持される形態において、上記操作部を含む部位が、上記操作者の左手または右手の一方で保持されることを特徴とする（９）に記載の携帯機器。
【００６０】
（対応する実施形態）
この（１０）に記載の携帯機器に関する実施形態は、第２実施形態が対応する。
【００６１】
（作用効果）
この（１０）に記載の携帯機器によれば、片手で保持されることができる。
【００６２】
（１１）  上記操作部に含まれる上記第１または第２の選択操作部は、上記操作部を含む部位を保持している一方の手で操作されることを特徴とする（１０）に記載の携帯機器。
【００６３】
（対応する実施形態）
この（１１）に記載の携帯機器に関する実施形態は、第２実施形態が対応する。
【００６４】
（作用効果）
この（１１）に記載の携帯機器によれば、片方の手で保持と操作が可能になる。
【００６５】
（１２）  上記複数の異なる装着または保持される形態のうちのそれぞれの形態の間で上記第１または第２の選択操作部を操作する左右の手の指が異なるように、上記第１及び第２の選択操作部が配置されていることを特徴とする（９）に記載の携帯機器。
【００６６】
（対応する実施形態）
この（１２）に記載の携帯機器に関する実施形態は、第２実施形態が対応する。
【００６７】
（作用効果）
この（１２）に記載の携帯機器は、複数の「形態」において、各選択操作部を操作する手の指における対応する左右の手の指同士では、それぞれ操作の対象となる選択操作部の機能（選択）が異なる。
【００６８】
従って、この（１２）に記載の携帯機器によれば、右手使用時、左手使用時における操作者に使い易いように選択操作部であるボタンを配置できる。
【００６９】
（１３）  左手の指が操作の対象とする複数の選択操作部は、当該左手の第２指から第５指に向かう配列方向に所定の順に並び、
右手の指が操作の対象とする複数の選択操作部は、当該右手の第５指から第２指に向かう配列方向に当該所定の順に並ぶように配置されていることを特徴とする（１２）に記載の携帯機器。
【００７０】
（対応する実施形態）
この（１３）に記載の携帯機器に関する実施形態は、第２実施形態が対応する。
【００７１】
（作用効果）
この（１３）に記載の携帯機器は、左手の指が操作の対象とする複数の選択操作部は、当該左手の第２指（人差し指）から第５指（小指）に向かう配列方向に、右手の指が操作の対象とする複数の選択操作部は、当該右手の第５指（小指）から第２指（人差し指）に向かう配列方向に、同じ順番で並ぶように配置されている。
【００７２】
従って、この（１３）に記載の携帯機器によれば、人間の直観に作用し、ボタンの誤認識、ひいては誤操作を減らすことができる。
【００７３】
（１４）  上記複数の異なる装着または保持される形態においては、上記操作者の左右の手の指で操作され選択に使用される上記第１及び第２選択操作部の並び順は、操作者の頭頂側から見たとき当該操作者の主軸を中心とした周回方向において同じ順番となるように配置されていることを特徴とする（９）に記載の携帯機器。
【００７４】
（対応する実施形態）
この（１４）に記載の携帯機器に関する実施形態は、第２実施形態が対応する。
【００７５】
（作用効果）
この（１４）に記載の携帯機器は、複数の異なる「形態」においては、選択に使用される第１及び第２選択操作部の並び順は、操作者の頭頂側から見たとき当該操作者の主軸（頭尾方向、身長方向）を中心とした周回方向において同じ順番となるように配置されている。
【００７６】
従って、この（１４）に記載の携帯機器によれば、右手使用時、左手使用時における操作者に使い易いように選択操作部であるボタンを配置できる。
【図面の簡単な説明】
【００７７】
【図１】図１（Ａ）は本発明の第１実施形態に係る携帯機器としての情報端末の外観を示す斜視図、図１（Ｂ）はその情報端末のブロック構成図であり、図１（Ｃ）は操作部の構成を示すブロック図である。
【図２】図２（Ａ）は情報端末の使用状態を示す斜視図であり、図２（Ｂ）は表示部の構成を説明するための模式図である。
【図３】図３（Ａ）は情報端末の保持状態を説明するための図、図３（Ｂ）は表示画面を示す図であり、図３（Ｃ）は操作部のＡボタン及びＢボタンの配置関係を説明するための図である。
【図４】図４（Ａ）は本発明の第２実施形態に係る携帯機器としての情報端末の左手による保持状態を説明するための図、図４（Ｂ）は表示画面を示す図であり、図４（Ｃ）は操作部の右手用及び左手用それぞれのＡボタン及びＢボタンの配置関係を説明するための図である。
【図５】第２実施形態における操作部の構成を示すブロック図である。
【符号の説明】
【００７８】
１０…情報端末、  １１…透明反射板、  １２…情報表示部、  １３…操作部、  １３Ａ−Ｒ…（右手用）Ａボタン、  １３Ａ−Ｌ…左手用Ａボタン、  １３Ｂ−Ｒ…（右手用）Ｂボタン、  １３Ｂ−Ｌ…左手用Ｂボタン、  １３ｎ−Ｒ…（右手用）ｘボタン、  １３ｎ−Ｌ…左手用ｘボタン、  １４…画像入力部、  １５…制御部、  １５Ａ…位置姿勢判定部、  １５Ｂ…操作指示判定部、  １５Ｃ…表示情報検索部、  １６Ａ，１６Ｂ…アイコン、  ２０…右手、  ２１…操作者頭部、  ２２…右眼、  ２２Ａ…右眼球、  ２３−１，２５−１…第１指（親指）、  ２３−２，２５−２…第２指（人差し指）、  ２３−３，２５−３…第３指（中指）、  ２３−４，２５−４…第４指（薬指）、  ２３−５，２５−５…第５指（小指）、  ２４…左眼。
【図１】
2006148559.tif 000003
【図２】
2006148559.tif 000004
【図３】
2006148559.tif 000005
【図４】
2006148559.tif 000006
【図５】
2006148559.tif 000007